(57)【要約】【課題】  緩み止め効果を確実に発揮し、締め付けトルク（軸力）の管理を容易にし、しかも、作業性も著しく向上すること。【解決手段】  ナットＮの端面又はその近傍には、緩み止め用の接着剤Ａを案内してネジ山１とネジ溝２の間へ浸透させるための複数個の溝５が形成してある。この接着剤Ａを案内するための溝５が設けてあることから、ナットＮの端面（又は溝５）に塗布した接着剤Ａは、ネジ山１から噛み合っているネジ溝２に浸透し易く、外部に垂れ難く、ネジ山１とネジ溝２の間の広い範囲にわたって浸透できることから、緩み止め効果を十分に発揮することができる。【選択図】  図２
2006153146.tif 000002
【特許請求の範囲】
【請求項１】
ボルトのネジ山に、ネジ溝を螺合するナットに於いて、
緩み止め用の接着剤を案内して、ネジ山とネジ溝の間へ浸透させる接着剤案内手段を、具備することを特徴とするナット。
【請求項２】
前記接着剤案内手段は、端面又はその近傍に形成した溝であることを特徴とする請求項１に記載のナット。
【請求項３】
前記接着剤案内手段は、側面から内方に向けて形成した孔であることを特徴とする請求項１に記載のナット。
【請求項４】
前記接着剤案内手段は、ネジ溝に軸方向に形成した軸方向溝であることを特徴とする請求項１に記載のナット。
【請求項５】
ナットのネジ溝に、ネジ山を螺合するボルトに於いて、
緩み止め用の接着剤を案内して、ネジ山とネジ溝の間へ浸透させる接着剤案内手段を、具備することを特徴とするボルト。
【請求項６】
前記接着剤案内手段は、ネジ山に軸方向に形成した軸方向溝であることを特徴とする請求項５に記載のボルト。
【請求項７】
ボルトのネジ山に、ナットのネジ溝を螺合して締結するナットとボルトの締結体に於いて、
緩み止め用の接着剤を案内して、ネジ山とネジ溝の間へ浸透させる接着剤案内手段を、具備することを特徴とするナットとボルトの締結体。
【請求項８】
前記接着剤案内手段は、ナットの端面又はその近傍に形成した溝であることを特徴とする請求項７に記載のナットとボルトの締結体。
【請求項９】
前記接着剤案内手段は、ナットの側面から内方に向けて形成した孔であることを特徴とする請求項７に記載のナットとボルトの締結体。
【請求項１０】
前記接着剤案内手段は、ナットのネジ溝に軸方向に形成した軸方向溝であることを特徴とする請求項７に記載のナットとボルトの締結体。
【請求項１１】
前記接着剤案内手段は、ボルトのネジ山に軸方向に形成した軸方向溝であることを特徴とする請求項７に記載のナットとボルトの締結体。
【発明の詳細な説明】
【技術分野】
【０００１】
本発明は、ナット、ボルト、及びナットとボルトの締結体に関する。また、本発明は、捩じ込んだネジの緩みを防止する技術に関し、特に、―度捩じ込まれたネジが緩んで回転する事を防止するため、接着剤を用いて緩み止めする技術に関する。
【背景技術】
【０００２】
従来、ボルトとナットの緩み止めとしては、図４及び図５に示す通りである。すなわち、図４は、従来例に係るナットとボルトの締結体の側面図である。図５は、図４のＶ−Ｖ線に沿った拡大断面図である。
【０００３】
治具３，４に、ボルトＢが挿通してあり、ボルトＢのネジ山１に、標準ナットＳＮのネジ溝２が螺合してある。
【０００４】
標準ナットＳＮの端面から緩み止め用の接着剤Ａを、ネジ山１とネジ溝２の間に浸透させている。
【特許文献１】特開２００１−１１６０３２号公報
【特許文献２】特開２００４−２８２３９号公報
【発明の開示】
【発明が解決しようとする課題】
【０００５】
しかしながら、緩み止め用の接着剤Ａは、必ずしもネジ山１とネジ溝２の間に浸透しないといったことがあり、その結果、緩み止め効果も必ずしも十分に発揮できないといったことがある。
【０００６】
また、緩み止め用の接着剤Ａは、垂れ易いため、他部品に付着することなどがあり、作業性が悪いといった事情もある。
【０００７】
さらに、ボルトとナットの緩み止め方法の他の従来例であるナイロン・ナットは、ナットのネジ溝に、ナイロン樹脂を付着したものである。このナイロン・ナットでは、緩み止め効果はあるが、反面、締め付けトルクが管理しずらいといったことがある。
【０００８】
特に、ナイロン・ナットを利用し、低い締め付けトルクで、軸力を管理する時は、ナイロンのフリクションが原因で軸力が管理しづらい。
【０００９】
さらに、締め付け軸力（トルク）を管理したい場合、通常の緩み止めナット（ナイロン・ナット、カシメナット）やボルトでは  締め付けトルクと軸力の相関がばらついて管理が難しい。
【００１０】
さらに、図４及び図５に示した従来例のように、通常ナットを使用した場合、ある決められた締め付けトルク（軸力）を与えた後、緩み止めの必要がある場合、ナット端面から緩み止め用の接着剤を浸透させることになる為に、ナット端面側のネジ山とネジ溝の間にしか接着剤が入りこまないため、緩み止め効果は低いといったことがある。
【００１１】
さらに、ダブルナツトでは、部品点数が増え、固定ナットを締め付ける時に、一度決めた軸力が変わりやすいといったことがある。
【００１２】
本発明は、上述したような事情に鑑みてなされたものであって、緩み止め効果を確実に発揮することができ、締め付けトルク（軸力）の管理を容易にすることができ、しかも、作業性も著しく向上することができる、ナット、ボルト、及びナットとボルトの締結体を提供することを目的とする。
【課題を解決するための手段】
【００１３】
上記の目的を達成するため、本発明の請求項１に係るナットは、ボルトのネジ山に、ネジ溝を螺合するナットに於いて、
緩み止め用の接着剤を案内して、ネジ山とネジ溝の間へ浸透させる接着剤案内手段を、具備することを特徴とする。
【００１４】
本発明の請求項２に係るナットは、前記接着剤案内手段は、端面又はその近傍に形成した溝であることを特徴とする。
【００１５】
本発明の請求項３に係るナットは、前記接着剤案内手段は、側面から内方に向けて形成した孔であることを特徴とする。
【００１６】
本発明の請求項４に係るナットは、前記接着剤案内手段は、ネジ溝に軸方向に形成した軸方向溝であることを特徴とする。
【００１７】
本発明の請求項５に係るボルトは、ナットのネジ溝に、ネジ山を螺合するボルトに於いて、
緩み止め用の接着剤を案内して、ネジ山とネジ溝の間へ浸透させる接着剤案内手段を、具備することを特徴とする。
【００１８】
本発明の請求項６に係るボルトは、  前記接着剤案内手段は、ネジ山に軸方向に形成した軸方向溝であることを特徴とする。
【００１９】
本発明の請求項７に係るナットとボルトの締結体は、ボルトのネジ山に、ナットのネジ溝を螺合して締結するナットとボルトの締結体に於いて、
緩み止め用の接着剤を案内して、ネジ山とネジ溝の間へ浸透させる接着剤案内手段を、具備することを特徴とする。
【００２０】
本発明の請求項８に係るナットとボルトの締結体は、前記接着剤案内手段は、ナットの端面又はその近傍に形成した溝であることを特徴とする。
【００２１】
本発明の請求項９に係るナットとボルトの締結体は、前記接着剤案内手段は、ナットの側面から内方に向けて形成した孔であることを特徴とする。
【００２２】
本発明の請求項１０に係るナットとボルトの締結体は、前記接着剤案内手段は、ナットのネジ溝に軸方向に形成した軸方向溝であることを特徴とする。
【００２３】
本発明の請求項１１に係るナットとボルトの締結体は、前記接着剤案内手段は、ボルトのネジ山に軸方向に形成した軸方向溝であることを特徴とする。
【発明の効果】
【００２４】
本発明によれば、緩み止め用の接着剤を案内して、ネジ山とネジ溝の間へ浸透させる接着剤案内手段を具備することから、緩み止め効果を確実に発揮することができ、締め付けトルク（軸力）の管理を容易にすることができ、しかも、作業性も著しく向上することができる。
【００２５】
また、ナイロンによるフリクションがない為、締め付けトルクの管理がしやすい。特に低いトルクが管理しやすい。
【００２６】
さらに、ナイロン・ナットでは管理が難しいナットがＭ１０であって締め付けトルクが７Ｎ・ｍ以下でも管理しやすい。また、接着剤案内手段がナットの端面又はその近傍に形成した溝である場合、締め付けたトルク（軸力）は、緩み止め用の接着剤により変化し難い。
【００２７】
さらに、接着剤案内手段がナットの端面又はその近傍に形成した溝である場合、緩み止め用の接着剤がネジ山とネジ溝の間に浸透しやすく、硬化も早いため、緩み止め効果が高く、早く発揮出来る。
【００２８】
さらに、標準ナットでは、端面に緩み止め用の接着剤を塗布するため、こぼれ易いが、本発明のように、接着剤案内手段がナットの端面又はその近傍に形成した溝である場合には、当該溝に塗布することができるため、接着剤が垂れ難く、他部品に影響をおよぼさず、作業性が良い。
【発明を実施するための最良の形態】
【００２９】
以下、本発明の実施の形態に係るナット、ボルト、及びナットとボルトの締結体を図面を参照しつつ説明する。
【００３０】
図１は、本発明の実施の形態に係るナットとボルトの締結体の側面図である。図２は、図１のＩＩ−ＩＩ線に沿った拡大断面図である。
【００３１】
治具３，４に、ボルトＢが挿通してあり、ボルトＢのネジ山１に、ナットＮのネジ溝２が螺合してある。
【００３２】
本実施の形態では、ナットＮの端面又はその近傍には、緩み止め用の接着剤Ａを案内してネジ山１とネジ溝２の間へ浸透させるための複数個の溝５が形成してある。
【００３３】
この接着剤Ａを案内するための溝５が設けてあることから、ナットＮの端面（又は溝５）に塗布した接着剤Ａは、ネジ山１から噛み合っているネジ溝２に浸透し易く、外部に垂れ難く、ネジ山１とネジ溝２の間の広い範囲にわたって浸透できることから、緩み止め効果を十分に発揮することができる。
【００３４】
このように、緩み止め効果を確実に発揮することができる上、締め付けトルク（軸力）の管理を容易にすることができ、しかも、作業性も著しく向上することができる。
【００３５】
また、接着剤Ａを案内するための溝５が設けてある場合、ナイロンによるフリクションがない為、締め付けトルクの管理がしやすい。特に低いトルクが管理しやすい。
【００３６】
さらに、ナイロン・ナットでは管理が難しいナットＮがＭ１０であって締め付けトルクが７Ｎ・ｍ以下でも管理しやすい。また、接着剤Ａを案内するための溝５が設けてある場合、締め付けたトルク（軸力）は、緩み止め用の接着剤により変化し難い。
【００３７】
さらに、接着剤Ａを案内するための溝５が設けてある場合、緩み止め用の接着剤Ａがネジ山１とネジ溝２の間に浸透しやすく、硬化も早いため、緩み止め効果が高く、早く発揮出来る。
【００３８】
さらに、図４及び図５の標準ナットＳＮでは、その端面に緩み止め用の接着剤Ａを塗布するため、こぼれ易いが、本実施の形態のように、ナットＮの端面又はその近傍に接着剤Ａを案内するための溝５が設けてある場合には、この溝５に塗布することができるため、接着剤Ａが垂れ難く、他部品に影響をおよぼさず、作業性が良い。
【００３９】
図３（ａ）は、本発明の実施の形態の第１変形例に係るナットの側面図である。
【００４０】
本変形例では、ナットＮの側面から内方に向けて、孔６が形成してある。
【００４１】
この孔６を通して、緩み止め用の接着剤Ａを導入することから、接着剤Ａは、ネジ山１から噛み合っているネジ溝２に浸透し易く、外部に垂れ難く、ネジ山１とネジ溝２の間の広い範囲にわたって浸透できることから、緩み止め効果を十分に発揮することができる。その他の構成、作用、及び効果は、上述した実施の形態と同様である。
【００４２】
図３（ｂ）は、本発明の実施の形態の第２変形例に係るナットの正面図である。
【００４３】
本変形例では、ナットＮのネジ溝２に、軸方向に延びる軸方向溝７が形成してある。
【００４４】
この軸方向溝７を通して、緩み止め用の接着剤Ａを導入することから、接着剤Ａは、ネジ山１から噛み合っているネジ溝２に浸透し易く、外部に垂れ難く、ネジ山１とネジ溝２の間の広い範囲にわたって浸透できることから、緩み止め効果を十分に発揮することができる。その他の構成、作用、及び効果は、上述した実施の形態と同様である。
【００４５】
図３（ｃ）は、本発明の実施の形態の第３変形例に係るボルトの正面図である。
【００４６】
本変形例では、ボルトＢのネジ山１に、軸方向に延びる軸方向溝８が形成してある。
【００４７】
この軸方向溝８を通して、緩み止め用の接着剤Ａを導入することから、接着剤Ａは、ネジ山１から噛み合っているネジ溝２に浸透し易く、外部に垂れ難く、ネジ山１とネジ溝２の間の広い範囲にわたって浸透できることから、緩み止め効果を十分に発揮することができる。その他の構成、作用、及び効果は、上述した実施の形態と同様である。
【００４８】
なお、本発明は、上述した実施の形態に限定されず、種々変形可能である。
【図面の簡単な説明】
【００４９】
【図１】本発明の実施の形態に係るナットとボルトの締結体の側面図である。
【図２】図１のＩＩ−ＩＩ線に沿った拡大断面図である。
【図３】（ａ）は、本発明の実施の形態の第１変形例に係るナットの側面図であり、（ｂ）は、本発明の実施の形態の第２変形例に係るナットの正面図であり、（ｃ）は、本発明の実施の形態の第３変形例に係るボルトの正面図である。
【図４】従来例に係るナットとボルトの締結体の側面図である。
【図５】図４のＶ−Ｖ線に沿った拡大断面図である。
【符号の説明】
【００５０】
１  ネジ山
２  ネジ溝
３，４  治具
５  溝
６  孔
７  軸方向溝
８  軸方向溝
Ａ  接着剤
Ｂ  ボルト
Ｎ  ナット
ＳＮ  標準ナット
【図１】
2006153146.tif 000003
【図２】
2006153146.tif 000004
【図３】
2006153146.tif 000005
【図４】
2006153146.tif 000006
【図５】
2006153146.tif 000007